(57)【要約】【課題】本発明は音質を改善し、且つ画質を有効的に高めることができる液晶表示装置及びその駆動方法を提供することを目的とする。【解決手段】本発明は、共通電圧生成器に１つの基準電圧を提供し、前記共通電圧生成器は前記基準電圧に基づいて、１つの共通電圧を形成して液晶表示装置に印加するステップと、前記液晶表示装置の複数のデータ信号が前記共通電圧生成器に送信されるステップと、前記共通電圧生成器は、前記データ信号の極性が変わる時の電圧の変化値によって液晶表示装置の共通電圧を調整するステップを備える液晶表示装置の駆動方法を提供する。【選択図】図４
2009015293.tif 000002
【特許請求の範囲】
【請求項１】
共通電圧生成器と、複数のフレキシブル回路基板と、を備える液晶表示装置であって、
複数のフレキシブル回路基板は、前記共通電圧生成器に電気接続される複数のデータラインを備え、
複数のデータラインは、データ信号を前記共通電圧生成器に送信し、
前記共通電圧生成器は、前記データ信号の極性が変わる時の電圧変化値によって液晶表示装置の共通電圧を調整することを特徴とする液晶表示装置。
【請求項２】
前記共通電圧生成器は、反転アンプリファイアと、第一抵抗と、第二抵抗と、前記複数のデータラインにそれぞれ接続される複数の第一入力端と、前記複数の第一入力端にそれぞれ電気接続される複数のカップリング・キャパシタンスと、第二入力端と、を備え、
前記反転アンプリファイアの同相入力端子は、前記第二入力端に電気接続され、逆相同相入力端子は、前記第一抵抗を介して前記反転アンプリファイアの出力端に電気接続され、
前記複数の第一入力端は、前記複数のカップリング・キャパシタンスを介して前記第二抵抗の一端に電気接続され、
前記第二抵抗の他端は、前記反転アンプリファイアの逆相同相入力端子に電気接続されていることを特徴とする請求項１に記載の液晶表示装置。
【請求項３】
前記共通電圧生成器に電気接続されるデータラインの数量は、６のｎ倍であり、ｎは、ｎ＝１，２，３…であることを特徴とする請求項１に記載の液晶表示装置。
【請求項４】
各々の画素は、１つのＲ画素単元と、１つのＧ画素単元と、１つのＢ画素単元と、を含み、
前記６ｎの条のデータラインは、前記液晶表示装置の隣接する２ｎ個の画素の２ｎ個のＲ画素単元と、２ｎ個のＧ画素単元と、２ｎ個のＢ画素単元にそれぞれ電気接続されるか、
または、相隣しなく２ｎ個の画素の２ｎ個のＲ画素単元と、２ｎ個のＧ画素単元と、２ｎ個のＢ画素単元にそれぞれ電気接続されるか、
または、何れか６ｎ個の画素の２ｎ個のＲ画素単元と、２ｎ個のＧ画素単元と、２ｎ個のＢ画素単元にそれぞれ電気接続されることを特徴とする請求項３に記載の液晶表示装置。
【請求項５】
共通電圧生成器に１つの基準電圧を提供し、前記共通電圧生成器は、前記基準電圧に基づいて、１つの共通電圧を形成して液晶表示装置に印加するステップと、
前記液晶表示装置の複数のデータ信号が前記共通電圧生成器に送信されるステップと、
前記共通電圧生成器は、前記データ信号の極性が変わる時の電圧変更値によって液晶表示装置の共通電圧を調整するステップと、
を含むことを特徴とする液晶表示装置の駆動方法。
【請求項６】
前記共通電圧生成器は、前記データ信号が極性が変わるの総電圧変更値に根拠して、前記液晶表示装置の共通電圧を調整することを特徴とする請求項５に記載の液晶表示装置の駆動方法。
【請求項７】
前記共通電圧生成器が出力した共通電圧の変化方向は、前記データ信号が極性が変わる時の総電圧の変化の方向と反対することを特徴とする請求項６に記載の液晶表示装置の駆動方法。
【発明の詳細な説明】
【技術分野】
【０００１】
本発明は、液晶表示装置及び前記液晶表示装置の駆動方法に関する。
【背景技術】
【０００２】
液晶表示装置は、軽く、薄く、電力の消耗量が小さく、輻射が低い特性を有するので、ノートパソコン、テレビ、携帯電話等の電子表示装置に広く用いられている。
【０００３】
図１は、従来の液晶表示装置の駆動回路構造を示す図である。前記液晶表示装置１０は、ゲートドライバ１１と、データドライバ１２と、互いに平行する複数のゲートライン１３と、互いに平行し、且つ前記ゲートライン１３と垂直に交差される複数のデータライン１４と、前記複数のゲートライン１３及び前記複数データライン１４が交差される個所に形成される複数の画素単元（未標示）と、を備える。これで、隣接する３つのＲＧＢ画素単元が１つの画素（図未示）を構成し、前記ゲートドライバ１１がゲートライン１３を駆動し、前記データドライバ１２がデータライン１４を駆動する。
【０００４】
前記画素は、薄膜トランジスタ（Ｔｈｉｎ  Ｆｉｌｍ  Ｔｒａｎｓｉｓｔｏｒ，ＴＦＴ）１５と、蓄積容量１６と、液晶容量（Ｃａｐａｃｉｔｏｒ  Ｏｆ  Ｌｉｑｕｉｄ  Ｃｒｙｓｔａｌ）１７と、画素電極１８と、共通電極１９と、を備える。前記薄膜トランジスタ１５のゲート電極（図未示）は、前記ゲートライン１３に電気的に接続され、ソース電極（図未示）は、前記データライン１４に電気的に接続され、ドレイン電極（図未示）は、前記画素電極１８に電気的に接続されている。前記蓄積容量１６は、前記画素電極１８と、前記共通電極１９に電気的に接続された共通信号ライン（図未示）と、前記二者の間に配置される絶縁層（図未示）から形成される。前記液晶容量１７は、前記画素電極１８と、前記共通電極１９と、前記二者の間に配置した液晶層（図未示）から形成される。
【０００５】
走査信号が前記ゲートライン１３に印加された時、前記薄膜トランジスタ１５がオンされ、前記データドライバ１２からのデータ信号が前記データライン１４と、前記薄膜トランジスタ１５のソース電極と、ドレイン電極と、を順に通過した後、前記画素電極１８に印加される。したがって、前記画素電極１８と前記共通電極１９の間に電圧差が形成される。この電圧差は、電場を利用して、前記画素電極１８と前記共通電極１９の間に置かれる液晶分子（図未示）の回転状態を制御する。即ち、液晶分子を通過する光線の通過量を制御して、画面の表示を実現する。
【０００６】
ずっと同じデータ信号で前記液晶分子を駆動すれば、この液晶分子の反応速度が遅くなる。この問題を解決するために、前記画素電極１８に印加されるデータ信号の電圧を正電圧と負電圧（前記共通電極１９の共通電圧を基準にする）との間で交替に変化させる。この方法を反転駆動方法という。現在の液晶表示装置は、通常フレーム反転（Ｆｒａｍｅ  Ｉｎｖｅｒｓｉｏｎ）駆動と、ライン反転（Ｒｏｗ  Ｉｎｖｅｒｓｉｏｎ）駆動と、列反転（Ｃｏｌｕｍｎ  Ｉｎｖｅｒｓｉｏｎ）駆動と、ドット反転（Ｄｏｔ  Ｉｎｖｅｒｓｉｏｎ）駆動と、を採用する。その中で、ドット反転駆動が多く応用される。
【０００７】
図１及び図２を一緒に参照する。図２は、図１に示す液晶表示装置１０のドット反転駆動を示す図である。前記液晶表示装置１０が第Ｎフレーム（Ｆｒａｍｅ）の画面を表示する時、隣接した２つの画素単元の画素電極１８の駆動電圧の正負極性が不同になる。前記液晶表示装置１０が第Ｎ＋１フレームの画面を表示する時、画素電極１８の駆動電圧の正負極性が、第Ｎフレームとちょうど反対になる。フレームが一度変わるごとに、画素電極１８の駆動電圧の正負極性もそれに従って変わる。従って、前記液晶表示装置１０が駆動されて、画面を表示することができる。
【０００８】
しかし、前記画素電極１８の駆動電圧の正負極性が変わる時、即ち、前記データライン１４のデータ信号電圧の正負極性も従って変わる。前記データ信号の電圧が変わる時、前記蓄積容量１６及び液晶容量１７を通じて、前記共通電極１９の共通電圧を同じ方向へ変化させる。これによって、前記共通電圧が高くなるか、低くなり（図３参照）、且つ前記液晶表示装置１０の音質が悪くなる問題がある。１つのフレーム画面の時間に、前記共通電圧が高くなるか、低くなる状況が現われると、一定な時間が掛からないと、電圧が正常値へ戻ることができない。且つ、前記液晶分子に非正常な電圧に印加されるので、前記液晶表示装置１０の画質が悪くなる。
【発明の開示】
【発明が解決しようとする課題】
【０００９】
本発明の第一目的は、前記課題を解決し、音質を改善することができる液晶表示装置を提供することである。
【００１０】
本発明の第二目的は、前記課題を解決し、音質を改善することができる液晶表示装置の駆動方法を提供することである。
【課題を解決するための手段】
【００１１】
前記第一の目的を達成するため、本発明は、共通電圧生成器と、複数のフレキシブル回路基板と、を備える液晶表示装置であって、複数のフレキシブル回路基板は、前記共通電圧生成器に電気接続される複数のデータラインを備え、複数のデータラインは、データ信号を前記共通電圧生成器に送信し、前記共通電圧生成器は、前記データ信号が極性が変わる時の電圧の変化値によって液晶表示装置の共通電圧を調整することを特徴とする液晶表示装置を提供する。
【００１２】
前記第二の目的を達成するため、本発明は、共通電圧生成器に１つの基準電圧を提供し、前記共通電圧生成器は前記基準電圧に基づいて、１つの共通電圧を形成して液晶表示装置に印加するステップと、前記液晶表示装置の複数のデータ信号が前記共通電圧生成器に送信されるステップと、前記共通電圧生成器は、前記データ信号の極性が変わる時の電圧の変化値によって液晶表示装置の共通電圧を調整するステップを備える液晶表示装置の駆動方法を提供する。
【発明の効果】
【００１３】
本発明の液晶表示装置において、複数のデータラインのデータ信号電圧が前記共通電圧生成器に送信され、前記共通電圧生成器は、前記データ信号の極性が変わる時の電圧変化値によって液晶表示装置の共通電圧を調整する。従って、前記液晶表示装置の高くなったか、低くなった共通電圧を安定させて、液晶表示装置の音質を改善し、画質を有効的に高めることができる。
【発明を実施するための最良の形態】
【００１４】
図４は、本発明の第１実施形態に係る液晶表示装置の構成を示す図である。前記液晶表示装置２０は、プリント回路基板（Ｐｒｉｎｔｅｄ  Ｃｉｒｃｕｉｔ  Ｂｏａｒｄ，ＰＣＢ）２１と、液晶面板２２と、複数のフレキシブル回路基板（Ｆｌｅｘｉｂｌｅ  Ｐｒｉｎｔｅｄ  Ｃｉｒｃｕｉｔ，ＦＰＣ）２３と、を備える。前記プリント回路基板２１は、前記フレキシブル回路基板２３を介して前記液晶面板２２に電気接続されている。
【００１５】
各々のフレキシブル回路基板２３は、データドライバ２５と、このフレキシブル回路基板２３の表面に配置される６つのデータライン２６と、を含む。前記データドライバ２５は、前記複数のデータライン２６を介して前記液晶面板２２に電気接続されて、この液晶面板２２を駆動する。
【００１６】
前記プリント回路基板２１は、前記液晶面板２２に共通電圧を提供する１つの共通電圧生成器２４を備える。前記共通電圧生成器２４は、前記フレキシブル回路基板２３の表面に配置された６つのデータライン２６の一端に電気接続されている。他の接続方式は、前記６つのデータライン２６を逆方向に前記共通電圧生成器２４まで延長させることである。前記６つのデータライン２６の他端は、走査ライン（図未示）の方向に沿い、隣接する２つの画素の６つのＲＧＢ画素単元に（図未示）それぞれ電気接続されている。
【００１７】
図５は、図４に示した共通電圧生成器２４の内部回路を示す図である。前記共通電圧生成器２４は、反転アンプリファイア（Ａｍｐｌｉｆｉｅｒ）２４１と、第一抵抗２４２と、第二抵抗２４３と、６つの第一入力端２４４と、前記６つの第一入力端２４４にそれぞれ電気接続される６つのカップリング・キャパシタンス（Ｃｏｕｐｌｉｎｇ  Ｃａｐａｃｉｔａｎｃｅ）２４５と、第二入力端２４６と、を備える。
【００１８】
前記反転アンプリファイア２４１の同相入力端子は、前記第二入力端２４６に電気接続され、逆相同相入力端子は、前記第一抵抗２４２を介して自身の出力端に電気接続されている。前記前記反転アンプリファイア２４１の出力端は、前記液晶面板２２の共通電極（図未示）に電気接続される。前記６つの第一入力端２４４の一端は、前記六条のデータライン２６にそれぞれ電気接続され、他端は、前記６つのカップリング・キャパシタンス２４５を介して皆前記第二抵抗２４３の一端に電気接続されている。前記第二抵抗２４３の他端は、前記反転アンプリファイア２４１の逆相同相入力端子に電気接続されている。
【００１９】
以下、前記液晶表示装置２０の駆動原理について説明する。
【００２０】
先ず、前記第二入力端２４６が前記反転アンプリファイア２４１の同相入力端子に１つの基準電圧を提供する。この反転アンプリファイア２４１は、前記基準電圧によって安定電圧Ｖｃｏｍを形成し、この安定電圧Ｖｃｏｍを前記液晶面板２２の共通電極に印加する。前記前記液晶表示装置２０の画素電極（図未示）の駆動電圧の極性が変わる瞬間、即ち、前記データライン２６のデータ信号電圧の正負極性が変わる瞬間に、前記共通電極の共通電圧が高くなるか、低くなる。前記共通電圧生成器２４に電気接続される６条のデータライン２６から伝送されるデータ信号電圧が、前記共通電圧生成器２４の６つの第一入力端２４４にそれぞれ印加される。前記６つのデータライン２６からのデータ信号電圧変化値（これで、前記６つのデータ信号の電圧変化値を別々にＶ１、Ｖ２、Ｖ３、Ｖ４、Ｖ５、Ｖ６というと仮定する）が前記６つのカップリング・キャパシタンス２４５及び前記第二抵抗２４３を介して、前記反転アンプリファイア２４１の逆相同相入力端に印加される。前記反転アンプリファイア２４１は、前記６つのデータ信号の電圧総変化値Ｖｉｎに根拠して、電圧値Ｖｉｎと極性が反対する電圧Ｖｏｕｔを出力する。即ち、
Ｖｉｎ＝Ｖ１＋Ｖ２＋Ｖ３＋Ｖ４＋Ｖ５＋Ｖ６、
Ｖｏｕｔ＝−（Ｒ２/Ｒ１）＊Ｖｉｎである。
ここで、Ｒ１は、第一抵抗２４２の抵抗値であり、Ｒ２は、第二抵抗２４３の抵抗値である。極性が反対する前記電圧Ｖｏｕｔは、前記反転アンプリファイア２４１の出力端を介して前記液晶面板２２の共通電極に印加される。従って、図６に示すように、高くなるか、低くなった共通電圧が速く共通電圧Ｖｃｏｍへ戻ることができる。
【００２１】
本発明の液晶表示装置２０の前記共通電圧生成器２４は、複数のデータラインからのデータ信号電圧を受信した後、電圧総変化値に根拠して極性が反対する電圧を形成する。且つ、極性が反対するこの電圧を液晶表示装置２２の共通電極に印加して、高くなったか、低くなった共通電圧を安定させる。従って、液晶表示装置２０の音質を改善し、且つ画質を有効的に高めることができる。
【００２２】
且つ、前記共通電圧生成器２４に電気接続される前記六条のデータライン２６は、前記フレキシブル回路基板２３の表面に配置されているので、構造が簡単になり、製造過程が容易になり、液晶表示装置の小型化を実現することができる。
【００２３】
図７は、本発明の第２実施形態に係る液晶表示装置の構成を示す図である。本実施形態の液晶表示装置３０のフレキシブル回路基板３３の表面において、共通電圧生成器３４に電気接続される複数のデータライン３６の他端は、液晶面板３２の走査ライン（図未示）の方向に沿って隣接しない２つの画素の６つのＲＧＢ画素単元に（図未示）それぞれ電気接続されている。
【００２４】
共通電圧生成器に電気接続される複数のデータラインを、液晶面板の走査ライン（図未示）の方向に沿う不同な６つの画素の不同な６つの画素単元にそれぞれ電気接続させることができる。
【図面の簡単な説明】
【００２５】
【図１】従来の一種液晶表示装置の構造を示す図である。
【図２】図１に示す液晶表示装置のドット反転駆動を採用した駆動方式を示す図である。
【図３】図１に示す液晶表示装置の共通電圧の変化を示す図である。
【図４】本発明の液晶表示装置の駆動方法を示すフローチャートである。
【図５】図４に示した共通電圧生成器の内部回路を示す図である。
【図６】図４に示した液晶表示装置の共通電圧の変化を示す図である。
【図７】本発明の第２実施形態に係る液晶表示装置の構成を示す図である。
【符号の説明】
【００２６】
２０    液晶表示装置
３０    液晶表示装置
２１    プリント回路基板
２２    液晶面板
３２    液晶面板
２３    フレキシブル回路基板
３３    フレキシブル回路基板
２４    共通電圧生成器
３４    共通電圧生成器
２４１  反転アンプリファイア
２４２  第一抵抗
２４３  第二抵抗
２４４  第一入力端
２４５  カップリング・キャパシタンス
２４６  第二入力端
２５    データドライバ
２６    データライン
３６    データライン
【図１】
2009015293.tif 000003
【図２】
2009015293.tif 000004
【図３】
2009015293.tif 000005
【図４】
2009015293.tif 000006
【図５】
2009015293.tif 000007
【図６】
2009015293.tif 000008
【図７】
2009015293.tif 000009